(57)【要約】【課題】廉価に製造可能で、マスクをよりコンパクトに収納可能なマスクホルダーを提供する。【解決手段】内面１０ａと外面１０ｂとを有する板材から成る。板材は内面１０ａに広げた状態または2つ折りに畳んだ状態のマスクを配置して4つ折りに折り畳み可能な折曲げ線と、4つ折りにした状態を保持可能な保持部とを、有する。板材は第１板部１１と第２板部１２と第３板部１３と第４板部１４とを有する。折曲げ線は第１折曲げ線１５と第２折曲げ線１６とから成る。第１折曲げ線と第２折曲げ線とは交差している。第１折曲げ線および第２折曲げ線は内面で谷線である。第１板部と第２板部とは第２折曲げ線を挟んで隣接している。第１板部と第３板部とは第１折曲げ線を挟んで隣接している。第２板部と第４板部とは第１折曲げ線を挟んで隣接している。第３板部と第４板部とは互いに離れている。【選択図】図１
0003229509.tif 000002
【実用新案登録請求の範囲】
【請求項１】
内面と外面とを有する板材から成り、前記板材は前記内面に広げた状態または2つ折りに畳んだ状態のマスクを配置して4つ折りに折り畳み可能な折曲げ線と、4つ折りにした状態を保持可能な保持部とを、有することを特徴とするマスクホルダー。
【請求項２】
前記板材は第１板部と第２板部と第３板部と第４板部とを有し、前記折曲げ線は第１折曲げ線と第２折曲げ線とから成り、前記第１折曲げ線と前記第２折曲げ線とは交差しており、前記第１折曲げ線および前記第２折曲げ線は前記内面で谷線であり、前記第１板部と前記第２板部とは前記第２折曲げ線を挟んで隣接し、前記第１板部と前記第３板部とは前記第１折曲げ線を挟んで隣接し、前記第２板部と前記第４板部とは前記第１折曲げ線を挟んで隣接し、前記第３板部と前記第４板部とは互いに離れていることを、特徴とする請求項１記載のマスクホルダー。
【考案の詳細な説明】
【技術分野】
【０００１】
本考案は、衛生マスクなどのマスクを収容するためのマスクホルダーに関する。
【背景技術】
【０００２】
従来、プラスチックシートを折り曲げて重ね合わせ、折り曲げた辺に隣接する底辺を溶着加工して形成されたマスク等を挟み込んで収納するマスク収納ケースであって、一方の面には二つ折りにするための折り筋線が形成されており、他方の面には帯状の切除部を切り取るためのミシン目が形成され、その帯状の切除部を切り取り、折り筋線を谷折りに折りたたむ折りたたみ機能を備えたマスク収納ケースが開示されている（例えば、特許文献１参照）。
【先行技術文献】
【特許文献】
【０００３】
【特許文献１】実用新案登録第３２１３７２０号公報
【考案の概要】
【考案が解決しようとする課題】
【０００４】
しかしながら、特許文献１に記載のマスク収納ケースでは、溶着加工が必要なため、製造工程が多く、製造コストがかさむという課題があった。また、マスクをコンパクトに収納する場合でも、２つ折りの収納のため、収納スペースがとられるという課題があった。
【０００５】
本考案は、このような課題に着目してなされたもので、廉価に製造可能で、マスクをよりコンパクトに収納可能なマスクホルダーを提供することを目的とする。
【課題を解決するための手段】
【０００６】
上記目的を達成するために、本考案に係るマスクホルダーは、内面と外面とを有する板材から成り、前記板材は前記内面に広げた状態または2つ折りに畳んだ状態のマスクを配置して4つ折りに折り畳み可能な折曲げ線と、4つ折りにした状態を保持可能な保持部とを、有することを特徴とする。
【０００７】
本考案に係るマスクホルダーは、板材の内面に広げた状態または2つ折りに畳んだ状態のマスクを配置して、折曲げ線に沿って4つ折りに折り畳み、4つ折りにした状態を保持部で保持することができる。このため、マスクを広げた状態または２つ折りにした状態で収納するものに比べて、よりコンパクトにマスクを収納することができる。また、溶着加工を要しないため、廉価に製造可能である。
板材は、ポリプロピレンなどの柔軟性のあるプラスチックから成ることが好ましい。保持部は、例えば、突起を穴に差し込んで保持する構成、スナップボタン、面ファスナーなどから成る。
【０００８】
本考案に係るマスクホルダーにおいて、前記板材は第１板部と第２板部と第３板部と第４板部とを有し、前記折曲げ線は第１折曲げ線と第２折曲げ線とから成り、前記第１折曲げ線と前記第２折曲げ線とは交差しており、前記第１折曲げ線および前記第２折曲げ線は前記内面で谷線であり、前記第１板部と前記第２板部とは前記第２折曲げ線を挟んで隣接し、前記第１板部と前記第３板部とは前記第１折曲げ線を挟んで隣接し、前記第２板部と前記第４板部とは前記第１折曲げ線を挟んで隣接し、前記第３板部と前記第４板部とは互いに離れていることが好ましい。
この場合、4つ折りに折り畳みやすい。
【考案の効果】
【０００９】
本考案によれば、廉価に製造可能で、マスクをよりコンパクトに収納可能なマスクホルダーを提供することができる。
【図面の簡単な説明】
【００１０】
【図１】本考案の実施の形態のマスクホルダーの、（A）プリーツ型不織布マスクを収納する場合の使用方法、（B）立体型不織布マスクを収納する場合の使用方法の、第１ステップ、第２ステップ、第３ステップを示す説明図である。
【考案を実施するための形態】
【００１１】
以下、図面に基づき、本考案の実施の形態について説明する。
図１は、本考案の実施の形態のマスクホルダー１０とその使用方法を示している。
マスクホルダー１０は、ポリプロピレン製の柔軟性の板材から成り、内面１０ａと外面１０ｂとを有している。板材は、第１板部１１と第２板部１２と第３板部１３と第４板部１４とを一体的に有している。板材は、第１折曲げ線１５と第２折曲げ線１６とから成る折曲げ線を有している。第１板部１１と第２板部１２とは、それぞれほぼ同じ大きさのほぼ長方形状であって、第２折曲げ線１６を挟んでそれぞれ短辺で隣接している。第２折曲げ線１６は、内面１０ａで２本の平行な直線状の谷線から成っている。
【００１２】
第１折曲げ線１５は、内面１０ａで細い２本の平行な直線状の谷線から成っている。第１折曲げ線１５と第２折曲げ線１６とは直交している。第３板部１３と第４板部１４とは、それぞれ第１板部１１および第２板部１２よりやや小さい多角形状である。第１板部１１と第３板部１３とは第１折曲げ線１５を挟んで隣接し、第２板部１２と第４板部１４とは第１折曲げ線１５を挟んで隣接している。第３板部１３と第４板部１４とは、第２折曲げ線１６の延長上の位置に間隙を有し、互いに離れている。板材は、第１折曲げ線１５および第２折曲げ線１６により、内面１０ａに広げた状態または2つ折りに畳んだ状態のマスクを配置して4つ折りに折り畳み可能となっている。
【００１３】
第１板部１１は、第２折曲げ線１６と反対側の短辺の位置に２つの突出するツメ部１７を有している。第２板部１２は、第２折曲げ線１６と反対側の短辺の位置に、２つのツメ部１７をそれぞれ差込み可能な２つの差込み穴１８を有している。ツメ部１７および差込み穴１８は、板材を4つ折りにした状態を保持可能な保持部を構成している。第１板部１１のツメ部１７付近の短辺および第２板部１２の差込み穴１８付近の短辺には、マスク１のゴム紐１ａを掛けるための凹部１９が設けられている。
【００１４】
マスクホルダー１０は、プリーツ型不織布マスク１を収納する場合、図１（A）のSTEP01に示すように、まず、板材の内面１０ａに広げた状態のマスク１を配置する。次に、STEP02に示すように、第３板部１３および第４板部１４を第１折曲げ線１５に沿って折り曲げて、それぞれ第１板部１１および第２板部１２に重ねる。そして、STEP03に示すように、第１板部１１および第２板部１２を第２折曲げ線１６に沿って折り曲げて、第３板部１３と第４板部１４とを重ねる。保持部のツメ部１７を差込み穴１８に差し込み、マスク１のゴム紐１ａを4つ折りに折り畳んだ板部の凹部１９に掛ける。こうして、4つ折りにした状態を保持部のツメ部１７および差込み穴１８並びにゴム紐１ａで保持することができる。
【００１５】
立体型不織布マスクを収納する場合には、図１（B）のSTEP01に示すように、まず、板材の内面１０ａに２つ折りに畳んだ状態のマスク２を配置する。次に、STEP02に示すように、第３板部１３および第４板部１４を第１折曲げ線１５に沿って折り曲げて、それぞれ第１板部１１および第２板部１２に重ねる。そして、STEP03に示すように、第１板部１１および第２板部１２を第２折曲げ線１６に沿って折り曲げて、第３板部１３と第４板部１４とを重ねる。保持部のツメ部１７を差込み穴１８に差し込む。こうして、4つ折りにした状態を保持部のツメ部１７および差込み穴１８で保持することができる。
【００１６】
マスクホルダー１０は、第１折曲げ線１５および第２折曲げ線１６により、4つ折りに折り畳みやすくなっている。４つ折りにしたとき、一例で、９８×６３×１０ｍｍのカードサイズにすることができる。マスクホルダー１０は、マスク１，２を4つ折りにして収納できるので、マスク１，２を広げた状態または２つ折りにした状態で収納するものに比べて、よりコンパクトにマスク１，２を収納することができる。このため、マスクホルダー１０は、スーツの胸ポケットや女性の小さなカバンでも収納でき、持ち運びが簡単である。
【００１７】
マスクホルダー１０は、保持部のツメ部１７および差込み穴１８で保持することができるので、折り畳んだ状態から不用意に開きにくく、衛生的に使用できる。マスクホルダー１０により、マスク１，２を一時的に外したときに折り畳んで簡単に収納でき、持ち運びができる。使用後は、水かアルコールで洗浄して繰り返し、清潔に使用することができる。外出先でマスク１，２を外す際、マスク１，２をスマートに収納することができる。また、溶着加工を要しないため、廉価に製造可能である。
なお、保持部は、スナップボタンから成っていてもよい。
【符号の説明】
【００１８】
１、２  マスク
１０  マスクホルダー
１０ａ  内面
１０ｂ  外面
１１  第１板部
１２  第２板部
１３  第３板部
１４  第４板部
１５  第１折曲げ線
１６  第２折曲げ線
１７  ツメ部
１８  差込み穴
１９  凹部
【図１】
0003229509.tif 000003